【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
光導波路を支持する支持板と、
該支持板の両端縁を、辺方向に沿って支持板の面方向に対し４５度の角度に折曲して形成されたミラー面部を備えるミラー部と、
光素子と電気的に接続される複数のリード部とを備え、
該複数のリード部が前記ミラー部に対向する配置に設けられていることを特徴とするミラー付リードフレーム。
【請求項２】
前記ミラー部に対向する配置に設けられる前記複数のリード部が、前記支持板の両端縁で形成された各々のミラー部に対向する配置に設けられていることを特徴とする請求項１記載のミラー付リードフレーム。
【請求項３】
前記支持板は、平面形状が長方形に形成され、
前記ミラー部は、前記ミラー面部の端部を前記支持板の面と平行に折曲して形成した接合部を備え、
前記リード部は、前記光素子に接続されるパッドと、実装基板に接続される接続リード部とを備えることを特徴とする請求項１または２記載のミラー付リードフレーム。
【請求項４】
前記リード部に形成されたパッドは、前記ミラー部に形成された接合部と同一高さに、かつ前記支持板の面と平行に形成され、前記接続リード部は、前記支持板と同一高さに、かつ支持板の面と平行に形成されていることを特徴とする請求項３記載のミラー付リードフレーム。
【請求項５】
光導波路を支持する支持板と、該支持板の両端縁を、辺方向に沿って支持板の面方向に対し４５度の角度に折曲して形成されたミラー面部を備えるミラー部と、光素子と電気的に接続される複数のリード部とを備え、該複数のリード部が前記ミラー部に対向する配置に設けられたミラー付リードフレームの前記支持板に、
クラッドに囲まれて複数本のコア部が並列に配置された光導波路が搭載された光導波路付リードフレームであって、
前記光導波路は、端面を前記ミラー面部の平面領域内に位置合わせして搭載されていることを特徴とする光導波路付リードフレーム。
【請求項６】
前記ミラー部に対向する配置に設けられる前記複数のリード部が、前記支持板の両端縁で形成された各々のミラー部に対向する配置に設けられていることを特徴とする請求項５記載の光導波路付リードフレーム。
【請求項７】
前記光導波路は樹脂によって封止され、
前記樹脂の前記光導波路のコア部と前記光素子との間で入放射される光路の部分に、光開口部が設けられていることを特徴とする請求項５または６記載の光導波路付リードフレーム。
【請求項８】
前記ミラー部は、前記ミラー面部の端部を前記支持板の面と平行に折曲して形成した接合部を備え、
前記リード部は、前記接合部と同一高さに、かつ前記支持板の面と平行に形成されたパッドと、前記支持板と同一高さに、かつ前記支持板の面と平行に形成された接続リード部とを備え、
樹脂封止部の一方の外面に、前記接合部と前記パッドの表面が面一に露出し、他方の外面に前記接続リード部の表面が面一に露出することを特徴とする請求項７記載の光導波路付リードフレーム。
【請求項９】
前記光導波路は、端面を４５度にカットされ、端面を前記ミラー面部の傾斜面と平行にして搭載されていることを特徴とする請求項５〜８のいずれか一項記載の光導波路付リードフレーム。
【請求項１０】
前記支持板は、平面形状が長方形に形成され、
前記支持板に、平面形状が長方形に形成された光導波路が搭載されていることを特徴とする請求項５〜９のいずれか一項記載の光導波路付リードフレーム。
【請求項１１】
光導波路を支持する支持板と、該支持板の両端縁を、辺方向に沿って支持板の面方向に対し４５度の角度に折曲して形成されたミラー面部を備えるミラー部と、光素子と電気的に接続される複数のリード部とを備え、該複数のリード部が前記ミラー部に対向する配置に設けられたミラー付リードフレームの前記支持板に、クラッドに囲まれて複数本のコア部が並列に配置された光導波路が搭載された光導波路付リードフレームに光素子として１対の発光素子と受光素子とを搭載した光電気配線用パッケージであって、
前記発光素子と受光素子は、前記光導波路配線用パッケージの前記光導波路を挟む一方側と他方側に、前記ミラー面部によって反射され、前記コア部を介して伝送される光の光路とを位置合わせして実装されていることを特徴とする光電気配線用パッケージ。
【請求項１２】
前記ミラー部に対向する配置に設けられる前記複数のリード部が、前記支持板の両端縁で形成された各々のミラー部に対向する配置に設けられていることを特徴とする請求項１１記載の光電気配線用パッケージ。
【請求項１３】
前記光導波路は樹脂によって封止され、前記光導波路のコア部と前記光素子との間で入放射される光の光路の部分は、光開口部が設けられ、
前記発光素子と受光素子は、前記開口部を介して前記光導波路と光結合する配置に前記樹脂封止部の外面に実装されていることを特徴とする請求項１１または１２記載の光電気配線用パッケージ。
【請求項１４】
前記発光素子は、発光部が、前記光導波路のコア部の平面配列と一致する配置に設けられ、
前記受光素子は、受光部が、前記光導波路のコア部の平面配列と一致する配置に設けられていることを特徴とする請求項１１、１２または１３記載の光電気配線用パッケージ。
【手続補正２】
【補正対象書類名】明細書
【補正対象項目名】発明の名称
【補正方法】変更
【補正の内容】
【発明の名称】光電気配線用パッケージ、光導波路付リードフレーム、及びミラー付リードフレーム
【手続補正３】
【補正対象書類名】明細書
【補正対象項目名】０００７
【補正方法】変更
【補正の内容】
【０００７】
上記目的を達成するために、本発明は次の構成を備える。
すなわち、本発明に係るミラー付リードフレームは、光導波路を支持する支持板と、該支持板の両端縁を、辺方向に沿って支持板の面方向に対し４５度の角度に折曲して形成されたミラー面部を備えるミラー部と、光素子と電気的に接続される複数のリード部とを備え、該複数のリード部が前記ミラー部に対向する配置に設けられている。なお、前記支持板、ミラー部及びリード部が、金属材料をプレス加工して形成されている。
また、前記ミラー部に対向する配置に設けられる前記複数のリード部が、前記支持板の両端縁で形成された各々のミラー部に対向する配置に設けられている。
また、前記支持板は、平面形状が長方形に形成され、前記ミラー部は、前記ミラー面部の端部を前記支持板の面と平行に折曲して形成した接合部を備え、前記リード部は、前記光素子に接続されるパッドと、実装基板に接続される接続リード部とを備える構成を備える。
【手続補正４】
【補正対象書類名】明細書
【補正対象項目名】０００８
【補正方法】変更
【補正の内容】
【０００８】
また、本発明に係る光導波路付リードフレームは、光導波路を支持する支持板と、該支持板の両端縁を、辺方向に沿って支持板の面方向に対し４５度の角度に折曲して形成されたミラー面部を備えるミラー部と、光素子と電気的に接続される複数のリード部とを備え、該複数のリード部が前記ミラー部に対向する配置に設けられたミラー付リードフレームの前記支持板に、クラッドに囲まれて複数本のコア部が並列に配置された光導波路が搭載された光導波路付リードフレームであって、前記光導波路は、端面を前記ミラー面部の平面領域内に位置合わせして搭載されている構成を備える。なお、前記支持板、ミラー部及びリード部が、金属材料をプレス加工して形成されている。
また、前記ミラー部に対向する配置に設けられる前記複数のリード部が、前記支持板の両端縁で形成された各々のミラー部に対向する配置に設けられている。
また、光導波路付リードフレームとして、前記光導波路は樹脂によって封止され、前記樹脂の前記光導波路のコア部と前記光素子との間で入放射される光路の部分に、光開口部が設けられている構成とすることもできる。
【手続補正５】
【補正対象書類名】明細書
【補正対象項目名】０００９
【補正方法】変更
【補正の内容】
【０００９】
また、光電気配線用パッケージとして、光導波路を支持する支持板と、該支持板の両端縁を、辺方向に沿って支持板の面方向に対し４５度の角度に折曲して形成されたミラー面部を備えるミラー部と、光素子と電気的に接続される複数のリード部とを備え、該複数のリード部が前記ミラー部に対向する配置に設けられたミラー付リードフレームの前記支持板に、クラッドに囲まれて複数本のコア部が並列に配置された光導波路が搭載された光導波路付リードフレームに光素子として１対の発光素子と受光素子とを搭載した光電気配線用パッケージであって、前記発光素子と受光素子は、前記光導波路配線用パッケージの前記光導波路を挟む一方側と他方側に、前記ミラー面部によって反射され、前記コア部を介して伝送される光の光路とを位置合わせして実装されている構成とすることができる。なお、前記支持板、ミラー部及びリード部が、金属材料をプレス加工して形成されている。
また、前記ミラー部に対向する配置に設けられる前記複数のリード部が、前記支持板の両端縁で形成された各々のミラー部に対向する配置に設けられている。
また、前記光導波路は樹脂によって封止され、前記光導波路のコア部と前記光素子との間で入放射される光の光路の部分は、光開口部が設けられ、前記発光素子と受光素子は、前記開口部を介して前記光導波路と光結合する配置に前記樹脂封止部の外面に実装された構成とすることもできる。
【手続補正６】
【補正対象書類名】明細書
【補正対象項目名】００２６
【補正方法】変更
【補正の内容】
【００２６】
光開口部３４は光素子と光導波路２２との間で光を通過させるための開口であるから、ミラー付リードフレーム１０に光導波路２２を搭載する際の位置ずれを考慮した大きさに形成する。
樹脂３２によって封止したことによって、図３（ｂ）に示すように、樹脂封止部の一方の外面には、ミラー部１４ａ、１４ｂの接合部１４２が細長の長方形状に露出し、リード部１６ａ、１６ｂのパッド１６１が一列状に露出する。樹脂封止部の他方の外面には、支持板１２の下面とリード部１６ａ、１６ｂの接続リード部１６３の下面が露出する。こうして、光導波路付リードフレーム３０の樹脂封止部は上面と下面が平坦面となるパッケージ体として形成される。
光開口部３４は、樹脂３２の外面に露出するミラー部１４ａ、１４ｂの接合部１４２に沿って開口する。